(57)【要約】【課題】簡易に豪華で多彩な結び方ができる帯を提供すること。【解決手段】帯１は、第一の布材５と、第二の布材９を備える。第一の布材５と第二の布材９は、帯１のいわゆる「手」と「たれ」の部分になる両端側７において、相互に分離させて結ぶことができるように結合されている。本考案に係る帯１では、手間をかけずに、豪華で多彩な結び方が楽しめる。【選択図】図１
0003132437.tif 000002
【実用新案登録請求の範囲】
【請求項１】
和装用の帯であって、
可撓性を有する帯状の第一の布材と、可撓性を有する帯状の第二の布材を備え、
前記第二の布材が、該帯の長手方向の少なくとも両端側において前記第一の布材と分離させて結び可能な装飾部を備えて前記第一の布材と結合されていることを特徴とする帯。
【請求項２】
請求項１に記載する帯であって、第一の布材と第二の布材の色が異なることを特徴とする帯。
【請求項３】
請求項１または請求項２に記載する帯であって、第一の布材と第二の布材が、異なる素材から形成されることを特徴とする帯。
【請求項４】
請求項１から請求項３のいずれかに記載する帯であって、前記第二の布材が帯の略全域に亘って、前記第一の布材と重ねられ、帯の前記両端側を除いた中間部において、前記第一の布材と前記第二の布材が、相互の短手方向の両縁部においてのみ結合されていることを特徴とする帯。
【請求項５】
請求項１乃至請求項４のいずれかに記載する帯であって、第一の布材と第二の布材のうち少なくともどちらか一方がオーガンジーから形成されることを特徴とする帯。
【請求項６】
請求項１乃至請求項５のいずれかに記載する帯であって、少なくとも帯の前記両端側において、第一の布材と第二の布材の周縁が、芯を入れた巻き縫いにより端末処理されていることを特徴とする帯。
【考案の詳細な説明】
【技術分野】
【０００１】
本考案は着物の着用時に使用する帯に関する。
【背景技術】
【０００２】
着物（浴衣を含む）を着用する際には、着用の都度、帯の結び方を変えてバリエーションを楽しむことが一般的に行われている。
【考案の開示】
【考案が解決しようとする課題】
【０００３】
しかしながら、帯は通常、袋帯を含め、一枚の帯状に仕立てられているから、変り結びの仕方には限界がある。
【０００４】
そこで本考案は、簡易に豪華で多彩な結び方ができる帯を提供することを目的とする。
【０００５】
なお、出願人の知る限りにおいては、記載すべき先行技術文献情報は無い。
【課題を解決するための手段】
【０００６】
本考案に係る帯は、可撓性を有する帯状の第一の布材と、可撓性を有する帯状の第二の布材を備え、第二の布材が、帯の長手方向の少なくとも両端側において、第一の布材と分離させて結び可能な装飾部を備えて第一の布材と結合されていることを特徴とする。
【０００７】
この帯では、帯のいわゆる「手」と「たれ」の部分になる長手方向の両端側に、第二の布材が第一の布材と分離させて結び可能な装飾部を備えて第一の布材と結合されている。このような構成であると、装飾部を利用し、例えば、通常の蝶々結び等をする際に、結んだ後に重なった布材の一方を引き出したり、各布材を別々に結んだりすることにより、帯の変り結びのバリエーションが広がり、豪華で多彩な結び方が楽しめる。
【０００８】
また、もし従来の帯を使用して同様の効果を出そうとするならば、二本の帯を使用して別々に締めなければならないため手間がかかるが、本考案に係る帯では第一の布材と第二の布材の二種類の布材が一体化した帯を締めるだけでよいから、手間をかけることなく、豪華な帯の結び方を楽しむことができる。
【０００９】
上述の帯において、第一の布材と第二の布材が、色及び／または素材が異なる構成とすれば、一層変り結びのバリエーションが広がり、豪華で多彩な結び方が楽しめる。
【００１０】
また、上述の帯においては、帯の両端側のみならず、帯の略全域に亘って第一の布材と第二の布材を重ねる構成としてもよい。このような構成であれば、帯における、着用者の胴に巻く部分である中間部においても第一、第二の布材が重なっていることから、帯を締める際、第一の布材と第二の布材のうちどちらを表にしても使用することができる。つまり、着る着物や機会、またはその時の気分に応じ、第一の布材と第二の布材のうちどちらを着用者の正面にもってくるかをその都度選ぶことができる。特に、第一の布材と第二の布材が異なる色及び／または素材からなる場合では、どちらを表にして帯を締めるかで全く異なる表情を出すことができ、1本の帯で着こなしのバリエーションを広げることができる。
【００１１】
第一と第二の布材が帯の略全域に亘って重ねられる構成の場合には、帯の両端側を除いた中間部において、第一の布材と第二の布材が、相互の短手方向の両縁部においてのみ結合される構成としてもよい。このような構成では、着用者の胴に巻く部分において第一の布材と第二の布材の幅方向の両端のみが結合され、両端の間の中間部は結合されていないから、この中間部においては第一の布材と第二の布材の間にゆとりが生まれる。中間部は、前述のように、帯を締める際に着用者の胴回りに巻く部分となるため、帯を締めたときに、着用者の正面において一方の布材が他方の布材に対して浮くような状態になって、きれいに締めることができる。
【００１２】
上記構成の帯においては、各布材の素材は特に限定されることはないが、第一の布材と第二の布材のうち少なくともどちらか一方が光沢、透明感、張り感を同時に有するオーガンジーであれば、着用した際に独特のふわふわ感やボリュームを出すことができ、より一層の華やかさを演出することができる。
【００１３】
また、上記構成の帯においては、少なくとも帯の両端側において、第一の布材と第二の布材の周縁が、芯を入れた巻き縫いにより端末処理されていることが望ましい。巻き縫いを施すことで、各布材のほつれが防止され、また、三つ折り縫いによる端末処理に比べ、端末が重くならず、素材の軽さを生かすことができる。
【考案を実施するための最良の形態】
【００１４】
以下に本考案の第一実施形態を図面に基づいて説明すると、図１〜３に示すように実施形態の帯１は、主に女性が浴衣を含む着物を着用する際に使用される帯であって、長さＬ１を約３９０ｃｍ、幅Ｗ１をいわゆる八寸である約３０ｃｍとするものである。帯１は第一の布材５と第二の布材９を備えて構成されている。
【００１５】
第一の布材５は可撓性を有した布地によって帯状に形成されている。本実施形態では第一の布材５は、いわゆる平織りの正絹製の布地からなり、寸法を帯１と同寸法である長さ約３９０ｃｍ、幅約３０ｃｍとしている。
【００１６】
第二の布材９は同じく可撓性を有した布地によって帯状に形成されている。本実施形態の場合、第二の布材９は、ポリエステル製等のオーガンジーにワッシャー加工等のしわ加工を施したものを使用している。第二の布材９は、ワッシャー加工のしわを伸ばさない状態で第一の布材５と略同じ長さ、すなわち長さ約３９０ｃｍ、幅約３０ｃｍである。
【００１７】
なお、実施形態の第一の布材５の色はグレー、第二の布材９の色は青色である。
【００１８】
第一の布材５と第二の布材９は、図１及び２に示すように、全長に亘って相互に重ねられるように配置され、帯１の長手方向における、両端側約１１５センチの部分を除いた中間部３において、相互の短手方向の両縁５ａ、９ａを縫合されている。具体的には、図３に示すように、帯１の中間部３に対応する部分における第一の布材５と第二の布材９の短手方向の両縁５ａ、９ａを、端部から数ｍｍ（本実施形態では約５〜７ｍｍ）を縫い代としてこの縫い代が表側に出ないように内側に折り込み、折り込んだ状態で外（表）側から、帯の短手方向（幅方向）の両縁に沿って、直線状にステッチをかけることにより縫合している。この縫合には縫合糸が使用されるが、上糸、下糸をそれぞれ第一の布材と第二の布材の色に合わせた二種類の縫合糸１１、１２を使用している。この中間部３は、帯を着用した際、着用者の胴に巻く部分となる。
【００１９】
第一の布材５と第二の布材９の幅方向の両縁５ａ、９ａを相互に縫合した中間部３を除いた両端部７では、第一の布材５と第二の布材９は、図１に示すように、幅方向の両縁部及び帯１の長手方向の両端側では結合されておらず、相互に分離して自由に動く状態である。この両端部７は、帯１を着用した際、いわゆる帯の「手」と「たれ」の部分になる箇所であって、その長さＬ２は各々約１１５ｃｍである。第二の布材９における両端部７にあたる部分は、装飾部２を構成する。両端部７においては、第一の布材５と第二の布材９の周縁部６、１０は、それぞれほつれ防止のため、ナイロン等からなるテグス等を芯１５として入れて、巻き縫いを施されている（図４）。周縁部６、１０とは、帯１の両端部７にあたる部分の第一の布材５と第二の布材９の短手方向（幅方向）の周縁部６ａ、１０ａおよび、長手方向の両端部の周縁部６ｂ、１０ｂからなる部分をいう。この巻き縫いに使用される縫合糸も、上述と同様、それぞれの布材の色に合った色の縫合糸１１、１２を使用し、違和感が生じないような構成としている。
【００２０】
この帯１の製造は、まず、長さ及び幅を略同一寸法に裁った第一の布材５と第二の布材９を用意し、第一の布材５と第二の布材９における、長手方向の両端から約１１５ｃｍ前後の部分、すなわち帯１の両端部７とする部分、より数ｃｍ長めの周縁部６、１０を、それぞれロックミシン等を利用して、テグス等を芯１５にして巻き縫いにて端末処理する。すなわち、数ｃｍ中間部３に進入する部分にまで巻き縫いを施す。その後、略同じ寸法である第一の布材５と第二の布材９を揃えて平らに重ね合わせ、端末処理をしなかった帯の中間部３にあたる第一の布材５と第二の布材９の部分におけるそれぞれの短手方向の両縁部５ａ、９ａを合わせて、端部から数ｍｍ（本実施形態では約５〜７ミリ）を縫い代としてこの縫い代が表側に出ないように内側に折り込み、折り込んだ状態で外（表）側から、帯の短手方向（幅方向）の両縁に沿って、直線状にステッチをかけて縫合する（図２及び３参照）。このとき、巻き縫いによる端末処理は、中間部３に進入する部分にまで施されているから、巻き縫いの終わりの部分が中間部３の縫合部分の縫い代と共に内側に隠れ、端末からのほつれが防止でき、また見た目にもきれいに仕立て上げることができる。これで帯１が完成する。
【００２１】
帯１を使用する際には、通常袋帯のような半幅でない帯を締めるときのように、帯１を幅方向の略中央で、第一の布材５または第二の布材９のどちらかの面が着用者の正面側に来るように外側に向けて半分に折り、通常の帯のように締める。
【００２２】
帯１は、第一の布材５と第二の布材９が、帯１のいわゆる「手」と「たれ」の部分になる両端部７において、第一の布材５と第二の布材９が縫合されておらず、相互に分離させて結ぶことができる構成である。このような構成であれば、例えば、通常の蝶々結び等をする際に、結んだ後に重ねた布材の一方を引き出したり、各布材を別々に結んだりすることにより、帯の変り結びのバリエーションが広がり、豪華で多彩な結び方が楽しめる（図５参照）。
【００２３】
また、もし従来の帯を使用して同様の効果を演出しようとするならば、二本の帯を使用して別々に締めなければならないため手間がかかるが、帯１では第一の布材５と第二の布材９の二種類の布材が一体化した帯を締めるだけでよいから、手間をかけることなく、豪華な帯の結び方を楽しむことができる。
【００２４】
したがって、本考案にかかる帯１では、簡易に豪華で多彩な結び方ができる。
【００２５】
また、帯１は、第一の布材５がグレー、第二の布材９が青色であって、相互の色が異なっている。さらに、帯１は、第一の布材５が平織りの正絹製であり、第二の布材９が、第一の布材５とは素材を異にするポリエステル製等のオーガンジー製である。このような構成では、異なる色及び／又は素材の布材を使用して、結んだ後に重ねた布材の一方を引き出したり、各布材を別々に結んだりすることにより、一層帯の変り結びのバリエーションが広がり、豪華で多彩な結び方が楽しめる。
【００２６】
なお、本実施形態の帯１では、色、素材共に異なる第一の布材５と第二の布材９を使用したが、各布材の色や素材はこれに限られるものではなく、たとえば、素材が同じであるが色が異なる二種類の布材を第一の布材と第二の布材として使用してもよく、また、異なる素材で色が同じ二種類の布材を第一の布材と第二の布材とした場合でも、同様の効果を得ることができる。さらに、素材、色共に同じ素材を第一の布材と第二の布材として使用した場合でも、ボリュームのある、華やかな帯結びをすることができる。しかしながら、本実施形態の第二の布材９のように、光沢、透明感や張り感を同時に有するオーガンジーを、第一と第二の布材の少なくともどちらか一方として使用すれば、着用した際に独特のふわふわ感やボリュームを出すことができ、より一層の華やかさを演出することができる。
【００２７】
また、帯１は、その略全域にわたって、第一の布材５と第二の布材９が重なる構成である。帯１における、着用者の胴に巻く部分である中間部３においても二枚重ねとなっていることから、帯を締める際、幅方向において半幅に折る際に、図６のＡ、Ｂに示すように第一の布材５と第二の布材９のうちどちらを表にしても使用することができる。つまり、着る着物や機会に応じ、またはその時の気分により、第一の布材５と第二の布材９のうちどちらを着用者の正面にもってくるかをその都度選ぶことができる。特に、第一の布材５と第二の布材９は色と素材が異なるため、どちらの側を表にするかで全く異なる表情を出すことができ、１本の帯で着こなしのバリエーションを広げることができる。
【００２８】
さらに、帯１では、中間部３において、第一の布材５と第二の布材９が、相互の短手方向の両縁部５ａ、９ａにおいてのみ結合されており、両縁部５ａ、９ａ相互間の中央部では結合されていない。このため、この中央部においては第一の布材５と第二の布材９の間にゆとりが生まれる。中間部３は、前述のように、帯１を締める際に着用者の胴回りに巻く部分となるため、帯を締めたときに、着用者の正面において一方の布材が他方の布材に対して浮くような状態になって、きれいに締めることができる。また、本実施形態のように、この中間部３において幅方向の両端が、縫い代が外側に出ないように結合されていれば、帯を締めたときに、着用者の正面側や側面において裏側にした布材が表側にはみ出すことがなく、きれいに着付けることができる。
【００２９】
また、帯１では、両端部７において、第一の布材５と第二の布材９が、それぞれ、周縁部６，１０を、テグス等を芯１５として入れて巻き縫いされている。巻き縫いにより、各布材の端末のほつれが防止される。また、布材の端末の処理方法には、他にも、三つ折り縫いをして処理する方法も考えられるが、三つ折り縫いでは端末処理後に端末が重くなってしまうため、素材の軽さを生かすためには巻き縫いによる処理が好ましい。
【００３０】
次に本考案の第二実施形態である帯３１について説明する。図７，８に示す第二実施形態の帯３１は、前実施形態と同様、長さ約３９０ｃｍ、幅約３０ｃｍである。帯３１は、第一の布材３５と第二の布材３９を備えて構成されている。第二実施形態における第一の布材３５は、第一実施形態の第一の布材５と素材と色を同じくし、第二の布材３９は、第一実施形態の第二の布材９と素材と色を同じくするから、それらについては説明を省略する。
【００３１】
第一の布材３５は、その全周縁が、テグス等を芯１５にした巻き縫いで処理されている。巻き縫いには第一の布材３５と同色の縫合糸１１が使用されている。長さは帯３１の長さと同様の長さ約３９０ｃｍ、幅約３０ｃｍである。
【００３２】
第二の布材３９は、二枚の布材３９ａ、３９ｂからなる。二枚の第二の布材３９ａと３９ｂは、図７および図８に示すように、それぞれ、平らに広げた第一の布材３５に対して、第一の布材３５の長手方向の両端部３６ａ、３６ａに、外側端部４０ａ、４０ａを揃えた状態で重ねられている。より具体的には、帯３１（第一の布材３５）の「手」と「たれ」の部分になる、長手方向の両端３６ａ、３６ａから中央部に向かって１１５ｃｍ前後の領域である両端部３７に二枚の第二の布材３９が、長手方向における外側の縁部４０ａを第一の布材３５と揃えた状態で、第一の布材３５と重なる状態で配置されている。すなわち、２枚の第二の布材３９の寸法は、幅を第一の布材３５と同じくする約３０ｃｍ、長さを各々約１１５ｃｍとしている。図７に示すように、二枚の第二の布材３９の、帯１の中央部側の端部４０ｂ、４０ｂは、５ｍｍから１ｃｍ程度を縫い代として、この縫い代が表に出ないように内側に折られ、折った状態の表側から、帯１の長手方向とは直交方向に延びる縁に沿って第一の布材３５に対し直線状にステッチをかけられている。これにより、第一の布材３５と二枚の第二の布材３９は、帯３１の両端部３７において相互に分離した状態で結合されている。この実施形態においては、第二の布材３９ａ、３９ｂが装飾部３２を構成している。第二の布材３９ａ、３９ｂの残りの周縁、すなわち幅方向の周縁および長手方向における外側の周縁４０ａ、４０ａは、第一の布材３５と同様、テグス等を芯１５に入れた巻き縫いにより端末処理されている。その際、第二の布材３９と同色の縫合糸１２が使用されている。帯３１の、着用者の胴に巻く部分となる中間部３３は、第一の布材３５の一枚仕立てとなっている。
【００３３】
帯３１においても、第一の布材３５と第二の布材３９が、帯３１のいわゆる「手」と「たれ」の部分になる両端部３７において、第一の布材３５と第二の布材３９が相互に分離した状態で重なるように結合されている。そのため、例えば、蝶々結び等をする際にも、結んだ後重なった布材の一方を引き出したり、各布材を別々に結んで重ねたりすることにより、帯の変り結びのバリエーションが広がり、豪華で多彩な結び方が楽しめる。また、帯３１は二種類の布材が一体化しているから、二本の帯を別々に結ぶ場合に比べ、手間をかけずに結ぶことができる。
【００３４】
したがって、帯３１でも、簡易に豪華で多彩な結び方をすることができる。
【００３５】
また、第二実施形態においても、各布材の色や素材を異ならせれば、一層華やかな変り結びのバリエーションを楽しむことができる。
【００３６】
帯１と帯３１は、共に幅寸法をいわゆる八寸である約３０ｃｍとして、着用の際に半分に折って使うように構成されている。しかし、本考案に係る帯の幅寸法はこれに限られず、幅寸法をいわゆる半幅（四寸）である約１５ｃｍとして、半分に折らずにそのまま胴体に巻く構成としてもよい。
【００３７】
また、帯１と帯３１は、いずれも長さを約３９０ｃｍとしたが、帯の長さはこれに限られず、着用者の胴に巻く中間部の部分を、胴回りに略２周分巻くような長さとし、「手」と「たれ」の部分となる両端部の長さを適宜好みの長さに設定してよい。
【図面の簡単な説明】
【００３８】
【図１】本考案の一実施形態である帯１の斜視図である。
【図２】帯１の分解斜視図である。
【図３】帯１の平面図および、ＩＩ−ＩＩ部分の概略断面図である。
【図４】図３のIV部分の拡大図である。
【図５】着用者の背面から見た帯１の使用状態図である。
【図６】着用者の正面から見た帯１の使用状態図であり、第一の布材５を表にした場合と、第二の布材９を表にした場合を示す。
【図７】本考案の他の実施形態である帯３５の平面図である。
【図８】帯３５の分解斜視図である。
【符号の説明】
【００３９】
１，３１  ・・・    帯
３，３３  ・・・    中間部
５，３５  ・・・    第一の布材
７，３７  ・・・    両端部
９，３９  ・・・    第二の布材
【図１】
0003132437.tif 000003
【図２】
0003132437.tif 000004
【図３】
0003132437.tif 000005
【図４】
0003132437.tif 000006
【図５】
0003132437.tif 000007
【図６】
0003132437.tif 000008
【図７】
0003132437.tif 000009
【図８】
0003132437.tif 000010